(57)【特許請求の範囲】
【請求項１】
導入口から排出口に向かって空気を流通させて該空気の中の浮遊物質を集塵する空気清浄装置において、
前記導入口から導入される前記空気が流入する流入面及び該空気が排出される排出面を有し、前記導入口の下流側に配置される導入口側フィルタ、該導入口側フィルタの前記排出面と離間して一部が重なり合う前記空気の流入面を有して前記導入口側フィルタの下流で前記排出口の上流に配置される排出口側フィルタ、及び該排出口側フィルタと前記導入口側フィルタとの間に配置されて前記導入口から導入された前記空気の一部を前記排出口側フィルタの前記流入面に誘導する空気誘導ガイドを備え、
前記排出口側フィルタは、
前記導入口側フィルタの前記排出面の一方側と離間して一部が重なり合う前記空気の流入面を有する排出口側第１フィルタと、
該排出口側第１フィルタと離間して並列に配置されて前記導入口側フィルタの前記排出面の他方側と離間して一部が重なり合う前記空気の流入面を有する排出口側第２フィルタと、を有し、
前記空気誘導ガイドは、
前記導入口側フィルタと前記排出口側第１フィルタとの間に設けられて前記導入口から導入された前記空気の一部を前記排出口側第１フィルタの前記流入面に誘導する空気誘導第１ガイドと、
前記導入口側フィルタと前記排出口側第２フィルタとの間に設けられて前記導入口から導入された前記空気の一部を前記排出口側第２フィルタの前記流入面に誘導する空気誘導第２ガイドと、を有し、
前記空気誘導第１ガイドと前記空気誘導第２ガイドとによって、前記導入口側フィルタの前記排出面から排出される前記空気が流通する流路が前記排出口側第１フィルタと前記排出口側第２フィルタとの間に形成されることを特徴とする空気清浄装置。
【請求項２】
導入口から排出口に向かって空気を流通させて該空気の中の浮遊物質を集塵する空気清浄装置において、
前記導入口から導入される前記空気が流入する流入面及び該空気が排出される排出面を有し、前記導入口の下流側に配置される導入口側フィルタ、該導入口側フィルタの前記排出面と離間して一部が重なり合う前記空気の流入面を有して前記導入口側フィルタの下流で前記排出口の上流に配置される排出口側フィルタ、及び該排出口側フィルタと前記導入口側フィルタとの間に配置されて前記導入口から導入された前記空気の一部を前記排出口側フィルタの前記流入面に誘導する空気誘導ガイドを備え、
前記導入口側フィルタは、
前記排出口側フィルタの前記排出面の一方側と離間して一部が重なり合う前記空気の流入面を有する導入口側第１フィルタと、
該導入口側第１フィルタと離間して並列に配置されて前記排出口側フィルタの前記空気の流入面の他方側と前記間隙を介して重なり合う前記空気の排出面を有する導入口側第２フィルタと、を有し、
前記空気誘導ガイドは、
前記導入口側第１フィルタと前記排出口側フィルタの一方側との間に設けられる空気誘導第１ガイドと、
前記導入口側第２フィルタと前記排出口側フィルタとの間に設けられる空気誘導第２ガイドと、を有し、
前記空気誘導第１ガイドと前記空気誘導第２ガイドとによって、前記導入口から導入される空気を前記排出口側フィルタの前記流入面に誘導する流路が前記導入口側第１フィルタと前記導入口側第２フィルタとの間に形成されることを特徴とする空気清浄装置。
【発明の詳細な説明】
【技術分野】
【０００１】
本発明は、空気清浄装置、特に、導入口から排出口に向かって空気を流通させて空気の中の浮遊物質を集塵する空気清浄装置に関する。
【背景技術】
【０００２】
室内の空気の清浄化に用いられる空気清浄装置は、一般的に、空気の流れ方向の上流側から下流側に向かって、フィルタ及びファンが順に配設される（例えば、特許文献１を参照）。
【０００３】
このような空気清浄装置では、ファンの吸込力によって吸い込まれた空気中の塵埃や花粉等の浮遊物質が、繊維材からなるフィルタに付着して空気中から除去されて、空気が清浄化される。清浄化された空気は、再び室内に放出される。
【０００４】
ところで、空気清浄装置の集塵能力を決定する要因の一つとしては、フィルタによる浮遊物質の捕集能力が挙げられ、この捕集能力によって、空気清浄装置の集塵能力に大きな影響を及ぼすことが知られている。
【０００５】
フィルタを構成する繊維材の密度が高くなれば、空気中の微粒子がフィルタに付着して浮遊物質がフィルタを通過することが効率的に阻止されて、フィルタによる浮遊物質の捕集能力が向上し、空気中から浮遊物質が良好に除去される。
【０００６】
その一方で、フィルタを構成する繊維材の密度が高い場合は、フィルタの圧力損失が大きくなり、その通風性が低下することになる。さらに、空気清浄装置の使用によってフィルタに浮遊物質が付着すると、フィルタの圧力損失が増大して通風性がさらに低下する。
【０００７】
フィルタを構成する繊維材の密度を高めることなく、フィルタによる浮遊物質の捕集能力を確保しながら圧力損失の増大を抑制する観点からは、一般的に、吸い込んだ空気が接触するフィルタの表面積を増大させることが有効である。
【０００８】
具体的には、フィルタの表面積を増大させることによって、フィルタの表面積当たりの空気中の浮遊物質が除去される量が減少するとともに、時間当たりの空気中の浮遊物質が除去される量が増大することから、浮遊物質の捕集能力が確保され、かつ圧力損失の増大も抑制される。
【先行技術文献】
【特許文献】
【０００９】
【特許文献１】特開２００３−８８５７１公報
【発明の概要】
【発明が解決しようとする課題】
【００１０】
しかし、空気清浄装置のフィルタによる浮遊物質の捕集能力を確保すべくフィルタの表面積を増大させると、空気清浄装置におけるフィルタの収容スペースが増大することによって、製品設計の自由度が阻害されることが懸念される。
【００１１】
さらに、表面積の増大に伴って、フィルタを収容する空気清浄装置それ自体が大型化することとなる。空気清浄装置が大型化すると、比較的狭小な住宅環境にあるわが国においては、その取扱いが厄介となることが懸念される。
【００１２】
その一方で、ハウスダストを極力除去して清潔な居住空間を実現する、あるいはインフルエンザ等のウイルスに感染することを未然に防止するといった、近年の健康志向の増大に伴って、空気清浄装置の集塵能力の向上がさらに要求されている。
【００１３】
本発明は、上記事情に鑑みてなされたものであり、フィルタの収容スペースの増大や装置の大型化を招くことなく、圧力損失の増大を抑制しつつ集塵能力を向上させることのできる空気清浄装置を提供することを課題とするものである。
【課題を解決するための手段】
【００１４】
上記課題を解決するための請求項１に記載の発明による空気清浄装置は、導入口から排出口に向かって空気を流通させて該空気の中の浮遊物質を集塵する空気清浄装置において、前記導入口から導入される前記空気が流入する流入面及び該空気が排出される排出面を有し、前記導入口の下流側に配置される導入口側フィルタ、該導入口側フィルタの前記排出面と離間して一部が重なり合う前記空気の流入面を有して前記導入口側フィルタの下流で前記排出口の上流に配置される排出口側フィルタ、及び該排出口側フィルタと前記導入口側フィルタとの間に配置されて前記導入口から導入された前記空気の一部を前記排出口側フィルタの前記流入面に誘導する空気誘導ガイドを備え、前記排出口側フィルタは、前記導入口側フィルタの前記排出面の一方側と離間して一部が重なり合う前記空気の流入面を有する排出口側第１フィルタと、該排出口側第１フィルタと離間して並列に配置されて前記導入口側フィルタの前記排出面の他方側と離間して一部が重なり合う前記空気の流入面を有する排出口側第２フィルタと、を有し、前記空気誘導ガイドは、前記導入口側フィルタと前記排出口側第１フィルタとの間に設けられて前記導入口から導入された前記空気の一部を前記排出口側第１フィルタの前記流入面に誘導する空気誘導第１ガイドと、前記導入口側フィルタと前記排出口側第２フィルタとの間に設けられて前記導入口から導入された前記空気の一部を前記排出口側第２フィルタの前記流入面に誘導する空気誘導第２ガイドと、を有し、 前記空気誘導第１ガイドと前記空気誘導第２ガイドとによって、前記導入口側フィルタの前記排出面から排出される前記空気が流通する流路が前記排出口側第１フィルタと前記排出口側第２フィルタとの間に形成されることを特徴とする。
【００１５】
この構成によれば、排出口側フィルタの流入面が、導入口の下流に配置された導入口側フィルタの排出面と離間して一部が重なり合いつつも、導入口から導入された空気が、導入口側フィルタから排出口側フィルタに亘って設けられた空気誘導ガイドによって排出口側フィルタの流入面にもれなく誘導される。
【００１６】
従って、導入された空気が導入口側フィルタ及び排出口側フィルタに接触する表面積が拡大され、時間当たりの空気中の浮遊物質が除去される量を効率的に増大させることができる。
【００１７】
これにより、フィルタの収容スペースの増大や装置の大型化を招くことなくフィルタの表面積を拡大させることができることから、フィルタによる空気中の浮遊物質の捕集能力を確保することができ、その結果、圧力損失の増大を抑制しつつ空気清浄装置の集塵能力を向上させることができる。
【００１９】
さらに、排出口側第１フィルタの流入面が導入口側フィルタの排出面の一方側と離間して一部が重なり合い、排出口側第２フィルタの流入面が導入口側フィルタの排出面の他方側と離間して一部が重なり合いつつも、空気誘導第１ガイド及び空気誘導第２ガイドによって、導入口から導入される空気が排出口側第１フィルタ及び排出口側第２フィルタの流入面にもれなく誘導される。
【００２０】
これにより、導入された空気が、導入口側フィルタ、排出口側第１フィルタ及び排出口側第２フィルタに接触する表面積が拡大され、空気中の浮遊物質が効率的に除去される。
【００２１】
一方、フィルタの収容スペースの増大や装置の大型化を招くことを抑制しながら、空気誘導第１ガイド及び空気誘導第２ガイドによって、導入口側フィルタの排出面から排出される空気が流通する流路が形成される。
【００２２】
上記課題を解決するための請求項２に記載の発明による空気清浄装置は、導入口から排出口に向かって空気を流通させて該空気の中の浮遊物質を集塵する空気清浄装置において、前記導入口から導入される前記空気が流入する流入面及び該空気が排出される排出面を有し、前記導入口の下流側に配置される導入口側フィルタ、該導入口側フィルタの前記排出面と離間して一部が重なり合う前記空気の流入面を有して前記導入口側フィルタの下流で前記排出口の上流に配置される排出口側フィルタ、及び該排出口側フィルタと前記導入口側フィルタとの間に配置されて前記導入口から導入された前記空気の一部を前記排出口側フィルタの前記流入面に誘導する空気誘導ガイドを備え、前記導入口側フィルタは、前記排出口側フィルタの前記排出面の一方側と離間して一部が重なり合う前記空気の流入面を有する導入口側第１フィルタと、該導入口側第１フィルタと離間して並列に配置されて前記排出口側フィルタの前記空気の流入面の他方側と前記間隙を介して重なり合う前記空気の排出面うぃ有する導入口側第２フィルタと、を有し、前記空気誘導ガイドは、前記導入口側第１フィルタと前記排出口側フィルタの一方側との間に設けられる空気誘導第１ガイドと、前記導入口側第２フィルタと前記排出口側フィルタとの間に設けられる空気誘導第２ガイドと、を有し、前記空気誘導第１ガイドと前記空気誘導第２ガイドとによって、前記導入口から導入される空気を前記排出口側フィルタの前記流入面に誘導する流路が前記導入口側第１フィルタと前記導入口側第２フィルタとの間に形成されることを特徴とする。
【００２３】
この構成によれば、導入口側第１フィルタの排出面が排出口側フィルタの流入面の一方側と離間して一部が重なり合い、導入口側第２フィルタの排出面が排出口側フィルタの流入面の他方側と離間して一部が重なり合いつつも、空気誘導第１ガイド及び空気誘導第２ガイドによって、導入口から導入される空気が排出口側フィルタの流入面にもれなく誘導される。
【００２４】
従って、導入された空気が、導入口側第１フィルタ、導入口側第２フィルタ及び排出口側フィルタに接触する表面積が拡大され、空気中の浮遊物質が効率的に除去される。
【００２５】
一方、フィルタの収容スペースの増大や装置の大型化を招くことを抑制しながら、空気誘導第１ガイド及び空気誘導第２ガイドによって、導入口から導入される空気を排出口側フィルタの流入面に誘導する流路が形成される。
【発明の効果】
【００２６】
この発明によれば、フィルタの収容スペースの増大や装置の大型化を招くことなくフィルタの表面積を拡大させることができることから、フィルタによる空気中の浮遊物質の捕集能力を確保することができる。その結果、圧力損失の増大を抑制しつつ、空気清浄装置の集塵能力を向上させることができる。
【図面の簡単な説明】
【００２７】
【図１】本発明の実施の形態に係る空気清浄装置の概略を説明する図である。
【図２】図１のＩＩ−ＩＩ線断面斜視図である。
【図３】図２のＡ矢視図である。
【図４】本発明の他の実施の形態に係る空気清浄装置の概略を説明する図である。
【発明を実施するための形態】
【００２８】
次に、本発明の実施の形態について、図１〜図３に基づいて説明する。なお、本実施の形態において、空気清浄装置が、居室で使用される縦置型の空気清浄装置である場合を例として説明する。
【００２９】
図１は、本実施の形態に係る空気清浄装置の概略を説明する図であり、図２は、図１のＩＩ−ＩＩ線断面斜視図、図３は、図２のＡ矢視図である。図示のように、空気清浄装置１０は、本体ケーシング１１によってその外形が構成される。
【００３０】
この本体ケーシング１１の下部には、正面視矩形ボックス状のベース１５が本体ケーシング１１と一体的に形成され、このベース１５によって、空気清浄装置１０内に空気を導入する導入口１２が区画形成される。
【００３１】
ベース１５の上部は、平面視略枠状に形成され、この枠状に形成された上部に、本実施の形態では格子網状のプレフィルタ１６がはめ込まれ、導入口１２から導入された空気が導入口１２の下流に向かって流通するように形成されている。
【００３２】
一方、本体ケーシング１１の上部には、導入した空気を外部に排出する排出口１３Ａ、１３Ｂが形成されている。
【００３３】
このような本体ケーシング１１によって外形が構成される空気清浄装置１０には、導入口１２から排出口１３Ａ、１３Ｂに向かって、フィルタ群２０及びファン４０が配設され、導入口１２から排出口１３Ａ、１３Ｂに向かって空気が流通する。
【００３４】
フィルタ群２０は、導入口１２の下流に配置される導入口側フィルタ２２を備える。導入口側フィルタ２２は、本実施の形態では、繊維製の集塵フィルタ２２Ａ、及び活性炭が内蔵されて集塵フィルタ２２Ａの上部に積層された活性炭フィルタ２２Ｂを備え、導入口１２に臨む平面視略矩形の流入面２２ａ、及び排出口１３Ａ、１３Ｂ側に向かう平面視略矩形の排出面２２ｂを有して立方体状に構成される。
【００３５】
フィルタ群２０は、さらに、導入口１２の下流であって、排出口１３Ａの上流に配置される排出口側第１フィルタ２４及び排出口１３Ｂの上流に配置される排出口側第２フィルタ２５を備え、これら排出口側第１フィルタ２４及び排出口側第２フィルタ２５によって、排出口側フィルタが構成される。
【００３６】
排出口側第１フィルタ２４は、本実施の形態では、繊維製の集塵フィルタ２４Ａ、及び活性炭が内蔵されて集塵フィルタ２４Ａの上部に積層された活性炭フィルタ２４Ｂを備え、導入口１２側に向かう平面視略矩形の流入面２４ａ及び排出口１３Ａ側に向かう平面視略矩形の排出面２４ｂを有して立方体状に構成される。
【００３７】
排出口側第２フィルタ２５は、本実施の形態では、繊維製の集塵フィルタ２５Ａ、及び活性炭が内蔵されて集塵フィルタ２５Ａの上部に積層された活性炭フィルタ２５Ｂを備え、導入口１２側に向かう平面視略矩形の流入面２５ａ及び排出口１３Ｂ側に向かう平面視略矩形の排出面２５ｂを有して立方体状に構成される。
【００３８】
これら導入口側フィルタ２２、排出口側第１フィルタ２４及び排出口側第２フィルタ２５を備えるフィルタ群２０は、導入口側フィルタ２２が、ベース１５に設けられたプレフィルタ１６を介して流入面２２ａが導入口１２に臨んで空気清浄装置１０の中心線Ｃが中心を通るように設けられる。
【００３９】
排出口側第１フィルタ２４は、その流入面２４ａの一部が空気清浄装置１０の上下方向において導入口側フィルタ２２の排出面２２ｂの一方側と重なり合った状態で、導入口側フィルタ２２の排出面２２ｂの一方側と離間して配置される。
【００４０】
一方、排出口側第２フィルタ２５は、導入口１２から排出口１３Ａ、１３Ｂに向かう空気の流通方向と交差する方向において、排出口側第１フィルタ２４と離間して並列に配置され、導入口側フィルタ２２の排出面２２ｂの他方側と離間して、流入面２５ａの一部が空気清浄装置１０の上下方向において重なり合った状態で配置される。
【００４１】
これら排出口側第１フィルタ２４及び排出口側第２フィルタ２５は、その流入面２４ａと流入面２５ａ、及びその排出面２４ａと排出面２５ａがそれぞれ、導入口１２から排出口１３Ａ及び１３Ｂに向かう空気の流通方向と交差する方向において面一となるように並列して配置される。
【００４２】
導入口側フィルタ２２と排出口側フィルタとの間には、空気誘導ガイドが配設される。
【００４３】
空気誘導ガイドは、空気誘導第１ガイド３１及び空気誘導第２ガイド３２を備え、導入口側フィルタ２２と排出口側第１フィルタ２４との間には、空気誘導第１ガイド３１が配設され、導入口側フィルタ２２と排出口側第２フィルタ２５との間には、空気誘導第２ガイド３２が配設される。
【００４４】
すなわち、空気誘導第１ガイド３１は、導入口側フィルタ２２の一方の側部に接合する基部３１ａ、基部３１ａと連続するとともに中心線Ｃに向かって折曲して基部３１ａに対して傾斜して延在する傾斜部３１ｂ、及び傾斜部３１ｂと連続するとともに中心線Ｃから離反する方向に向かって折曲して排出口側第１フィルタ２４の内側部を支持する支持部３１ｃを有する。
【００４５】
空気誘導第２ガイド３２は、導入口側フィルタ２２の他方の側部に接合する基部３２ａ、基部３２ａと連続するとともに中心線Ｃに向かって折曲して基部３２ａに対して傾斜して延在する傾斜部３２ｂ、及び傾斜部３２ｂと連続するとともに中心線Ｃから離反する方向に向かって折曲して排出口側第２フィルタ２５の内側部を支持する支持部３２ｃを有する。
【００４６】
このように構成された排出口側第１フィルタ２４とプレフィルタ１６との間には、導入口側フィルタ２２の一方の側部において導入口側フィルタ２２と並列して光触媒第１フィルタ２６Ａが配設される。
【００４７】
一方、排出口側第２フィルタ２５とプレフィルタ１６との間には、導入口側フィルタ２２の他方の側部において導入口側フィルタ２２と並列して光触媒第２フィルタ２６Ｂが配設される。
【００４８】
これら光触媒第１フィルタ２６Ａ及び光触媒第２フィルタ２６Ｂはそれぞれ、紫外線で活性化される触媒を内蔵し、本体ケーシング１１の内壁に設けられた紫外線ランプ２６ａ、２６ｂが点灯することによって内蔵された触媒が活性化し、導入口１２から導入された空気の消臭及び除菌が施される。
【００４９】
上記構成のフィルタ群２０は、本体ケーシング１１に気密的に配置される。
【００５０】
ファン４０は、本実施の形態では、一方向に回転する第１ファン４１及び第１ファン４１と反対方向に回転する第２ファン４２によって構成される。第１ファン４１は、羽根部４１ａ及び筒軸４１ｂによって構成され、同様に、第２ファン４２は、羽根部４２ａ及び筒軸４２ｂによって構成される。
【００５１】
このようなファン４０は、本実施の形態では、排出口１３Ａ、１３Ｂにそれぞれ設けられた排出口ガイド５０に、メッシュガード５３を介して取り付けられる。
【００５２】
排出口ガイド５０は、湾曲状に形成されてファン４０によって吸い込まれた空気を集める湾曲部５１、湾曲部５１に連続して形成されて排出口１３Ａ及び１３Ｂに取り付けられるボス部５２を備える。
【００５３】
この排出口ガイド５０のボス部５２に、ファン４０が取り付けられたメッシュガード５３が取り付けられることによって、ファン４０が排出口１３Ａ、１３Ｂにそれぞれ配置される。
【００５４】
このように、空気清浄装置１０の本体ケーシング１１に、導入口１２から排出口１３Ａ、１３Ｂに向かってフィルタ群２０、空気誘導ガイド及びファン４０が配設されることによって、導入された空気の流れる流路Ｌ１〜Ｌ３が、導入口１２から分岐して設定される。
【００５５】
流路Ｌ１は、導入口１２からプレフィルタ１６及び光触媒第１フィルタ２６Ａを通り、かつ空気誘導第１ガイド３１により誘導されて排出口側第１フィルタ２４を通り、排出口１３Ａに設けられた排出口ガイド５０の湾曲部５１に空気が流入する経路として設定される。
【００５６】
流路Ｌ２は、導入口１２からプレフィルタ１６及び光触媒第２フィルタ２６Ｂを通り、かつ空気誘導第２ガイド３２により誘導されて排出口側第２フィルタ２５を通り、排出部１３Ｂに設けられた排出口ガイド５０の湾曲部５１に空気が流入する経路として設定される。
【００５７】
一方、流路Ｌ３は、流路Ｌ１と流路Ｌ２との間において、導入口１２からプレフィルタ１６及び導入口側フィルタ２２を通り、かつ空気誘導第１ガイド３１及び空気誘導第２ガイド３２により誘導されて排出部１３Ａに設けられた排出口ガイド５０の湾曲部５１に空気が流入する流路Ｌ３ａと、排出部１３Ｂに設けられた排出口ガイド５０の湾曲部５１に空気が流入する流路Ｌ３ｂとに分岐する経路として設定される。
【００５８】
次に、本実施の形態に係る空気清浄装置１０の作動について説明する。
【００５９】
空気清浄装置１０の図示しない電源が投入されると、ファン４０の第１ファン４１及び第２ファン４２が回転し、居室内の空気が導入口１２から吸い込まれる。
【００６０】
一方、空気清浄装置１０の電源の投入によって、紫外線ランプ２６ａ、２６ｂが点灯し、光触媒第１フィルタ２６Ａ及び光触媒第２フィルタ２６Ｂに内蔵された触媒が活性化される。
【００６１】
導入口１２から吸い込まれた空気は、流路Ｌ１〜Ｌ３に沿って空気清浄装置１０内を流動する。
【００６２】
流路Ｌ１に沿って流動する空気は、プレフィルタ１６を通過して光触媒第１フィルタ２６Ａに流入する。光触媒第１フィルタ２６Ａに流入した空気は、光触媒第１フィルタ２６Ａの活性化された触媒の作用によって、消臭及び除菌が施される。
【００６３】
光触媒第１フィルタ２６Ａを通過した空気は、空気誘導第１ガイド３１によって排出口側第１フィルタ２４の流入面２４ａに誘導されて、流入面２４ａから排出口側第１フィルタ２４内にもれなく流入し、集塵フィルタ２４Ａによって空気中の塵埃や花粉等の浮遊物質が捕集されるとともに、活性炭フィルタ２４Ｂによって脱臭される。
【００６４】
排出口側第１フィルタ２４で浮遊物質が捕集されかつ脱臭されて清浄化された空気は、排出口側第１フィルタ２４の排出面２４ｂから排出されて、排出口ガイド５０の湾曲部５１に流入し、回転するファン４０の第１ファン４１及び第２ファン４２によって、メッシュガード５２を介して排出口１３Ａから排出される。
【００６５】
流路Ｌ２に沿って流動する空気は、プレフィルタ１６を通過して光触媒第２フィルタ２６Ｂに流入する。光触媒第２フィルタ２６Ｂに流入した空気は、光触媒第２フィルタ２６Ｂの活性化された触媒の作用によって、消臭及び除菌が施される。
【００６６】
光触媒第２フィルタ２６Ｂを通過した空気は、空気誘導第２ガイド３２によって排出口側第２フィルタ２５の流入面２５ａに誘導されて、流入面２５ａから排出口側第２フィルタ２５内にもれなく流入し、集塵フィルタ２５Ａによって空気中の塵埃や花粉等の浮遊物質が捕集されるとともに、活性炭フィルタ２５Ｂによって脱臭される。
【００６７】
排出口側第２フィルタ２５で浮遊物質が捕集されかつ脱臭されて清浄化された空気は、排出口側第２フィルタ２５の排出面２５ｂから排出されて、排出口ガイド５０の湾曲部５１に流入し、回転するファン４０の第１ファン４１及び第２ファン４２によって、メッシュガード５２を介して排出口１３Ｂから排出される。
【００６８】
一方、流路Ｌ３に沿って流動する空気は、プレフィルタ１６を通過して導入口側フィルタ２２に流入面２２ａから流入し、集塵フィルタ２２Ａによって空気中の塵埃や花粉等の浮遊物質が捕集されるとともに、活性炭フィルタ２２Ｂによって脱臭される。
【００６９】
導入口側フィルタ２２で浮遊物質が捕集されかつ脱臭されて清浄化された空気は、導入口側フィルタ２２の排出面２２ｂから排出されて、空気誘導第１ガイド３１及び空気誘導第２ガイド３２によってもれなく誘導されて、互いに対向して配置される排出口側第１フィルタ２４と排出口側第２フィルタ２５との間に流入する。
【００７０】
排出口側第１フィルタ２４と排出口側第２フィルタ２５との間に流入した空気は、排出口１３Ａに設けられた排出口ガイド５０の湾曲部５１及び排出口１３Ｂに設けられた排出口ガイド５０の湾曲部５１に衝突する。
【００７１】
衝突した空気は、その一部が、排出口１３Ａに設けられた排出口ガイド５０の湾曲部５１に空気が流入する流路Ｌ３ａに沿って湾曲部５１に流入し、流路Ｌ１に沿って湾曲部５１に流入した空気と混在する。混在した空気は、回転するファン４０の第１ファン４１及び第２ファン４２によって、メッシュガード５２を介して排出口１３Ａから排出される。
【００７２】
一方、衝突した空気の残部が、排出口１３Ｂに設けられた排出口ガイド５０の湾曲部５１に空気が流入する流路Ｌ３ｂに沿って湾曲部５１に流入し、流路Ｌ２に沿って湾曲部５１に流入した空気と混在する。混在した空気は、回転するファン４０の第１ファン４１及び第２ファン４２によって、メッシュガード５２を介して排出口１３Ｂから排出される。
【００７３】
このように、上記構成の空気清浄装置１０は、排出口側第１フィルタ２４の流入面２４ａが、導入口１２に臨んで配置される導入口側フィルタ２２の排出面２２ａと離間して一部が重なり合いつつも、導入口１２から導入されて流路Ｌ１に沿って流動する空気が、空気誘導第１ガイド３１によって排出口側第１フィルタ２４の流入面２４ａにもれなく誘導される。
【００７４】
従って、導入された空気が、導入口側フィルタ２２及び排出口側第１フィルタ２４に接触する表面積が拡大され、時間当たりの空気中の浮遊物質が除去される量を効率的に増大させることができる。
【００７５】
一方、排出口側第２フィルタ２５の流入面２５ａが、導入口１２に臨んで配置される導入口側フィルタ２２の排出面２２ａと離間して一部が重なり合いつつも、導入口１２から導入されて流路Ｌ２に沿って流動する空気が、空気誘導第２ガイド３２によって排出口側第２フィルタ２５の流入面２５ａにもれなく誘導される。
【００７６】
従って、導入された空気が、導入口側フィルタ２２及び排出口側第２フィルタ２５に接触する表面積が拡大され、時間当たりの空気中の浮遊物質が除去される量を効率的に増大させることができる。
【００７７】
さらに、導入口側フィルタ２２においては、その流入面２２ａの全面が導入口１２に臨んで配置されていることから、導入口１２から導入される空気を、流入面２２ａを介して導入口側フィルタ２２にもれなく流入させることができる。
【００７８】
従って、導入口側フィルタ２２に空気を十分に流入させたうえで、導入口側フィルタ２２の排出面２２ｂと排出口側第１フィルタ２４の流入面２４ａとが重なり合った一部、及び導入口側フィルタ２２の排出面２２ｂと排出口側第２フィルタ２５の流入面２５ａとが重なり合った一部において、フィルタ２０の表面積が拡大される。
【００７９】
しかも、フィルタ群２０の表面積が拡大された状態で、空気清浄装置１０内におけるフィルタ群２０の収容スペースの増大を招くことがなく、かつ空気清浄装置１０の大型化を招くことがない。
【００８０】
さらに、排出口側第１フィルタ２４と排出口側第２フィルタ２５との間に、導入内側フィルタ２２の排出面２２ｂから排出される空気を流通させる流路Ｌ３が設定されることから、フィルタ群２０の収容スペースの増大を抑制しながら空気を流通させることができる。
【００８１】
このように、本実施の形態の空気清浄装置１０によれば、フィルタ群２０の収納スペースの増大や装置の大型化を招くことなくフィルタ２０の表面積を拡大させることができることから、フィルタ２０による空気中の浮遊物質の捕集能力を確保することができ、その結果、圧力損失の増大を抑制しつつ空気清浄装置１０の集塵能力を向上させることができる。
【００８２】
なお、本発明は上記実施の形態に限定されることはなく、発明の趣旨を逸脱しない範囲で種々変更可能である。上記実施の形態では、排出口側フィルタが、排出口側第１フィルタ２４及び排出口側第２フィルタ２５によって構成される場合を説明したが、図４で示すように、導入口側フィルタを、導入口側第１フィルタ２７、導入口側第２フィルタ２８によって構成してもよい。
【００８３】
図示のように、導入口側第１フィルタ２７を、導入口１２から排出口１３Ａ及び１３Ｂに向かう空気の流通方向と交差する方向において、導入口側第２フィルタ２８と離間させて互いに対向させて配置して、導入口側第１フィルタ２７の排出面２７ｂの一方側と離間させて空気清浄装置１０の上下方向において排出口側フィルタ２３の流入面２３ａの一方側を一部において重なり合わせるとともに、排出口側フィルタ２３の流入面２３ａの他方側を導入口側第２フィルタ２８の排出面２８ｂの一方側と離間させて、一部において重なり合わせてもよい。
【００８４】
この導入口側第１フィルタ２７と排出口側フィルタ２３との間に、空気誘導第１ガイド３３が配設され、導入口側第２フィルタ２８と排出口側フィルタ２３との間に、空気誘導第２ガイド３４が配設される。この空気誘導第１ガイド３３と空気誘導第２ガイド３４とによって、排出口側フィルタ２３の流入面２３ａに空気を誘導する流路が設定される。
【００８５】
上記実施の形態では、空気清浄装置１０が居室で使用される縦置型である場合を説明したが、例えば、居室で使用される横置型であってもよい。
【００８６】
上記実施の形態では、ファン４０が第１ファン４１及び第２ファン４２によって構成された場合を説明したが、単体のファンによって構成してもよい。
【符号の説明】
【００８７】
１０    空気清浄装置
１１    本体ケーシング
１２    導入口
１３Ａ、１３Ｂ    排出口
２０    フィルタ群
２２    導入口側フィルタ
２２ａ    流入面
２２ｂ    排出面
２４    排出口側第１フィルタ
２４ａ    流入面
２５    排出口側第２フィルタ
２５ａ    流入面
３１、３３    空気誘導第１ガイド
３２、３４    空気誘導第２ガイド
４０    ファン
【図１】
0006320871.tif 000002
【図２】
0006320871.tif 000003
【図３】
0006320871.tif 000004
【図４】
0006320871.tif 000005